(57)【要約】【課題】表示部の開閉に伴う曲げ性を損なうことなく、また信号配線からの放射ノイズを抑制したフレキシブルプリント基板を用いた情報処理装置を提供する。【解決手段】ベースフィルムＢＦの第１の面の配線層ＷＬ１を覆って第１のカバーフィルムＣＶ１が形成され、ベースフィルムＢＦの第２の面の配線層ＷＬ２を覆って第２のカバーフィルムＣＶ２が形成されている。前記ループの形成領域（Ａ―Ｂ）における前記第２のカバーフィルムＣＶ２およびその下層の第２の面の配線層ＷＬ２がループの曲げ方向に沿って不連続に除去され、除去された部分はベースフィルムＢＦが露出している。除去されずに残留したカバーフィルムＣＶ２の下層にある配線層ＷＬ２とベースフィルムＢＦの第１の面にある配線層ＷＬ１とは当該ベースフィルムＢＦを貫通するスルーホールＴＨを介して電気的に接続されている。【選択図】図４
2008065728.tif 000002
【特許請求の範囲】
【請求項１】
表示デバイスを搭載した表示部と情報処理回路を収納した本体部が蝶番で開閉可能に取り付けられ、前記情報処理回路から出力される表示信号を前記表示デバイスに転送するフレキシブルプリント基板を前記蝶番部分に前記表示部の開閉動作に伴う伸縮を吸収するループを設けた情報処理装置であって、
前記フレキシブルプリント基板は、ベースフィルムと、該ベースフィルムの第１の面と第２の面のそれぞれに配線層を有すると共に、前記第１の面の配線層を覆う第１のカバーフィルムを有し、
前記ループの形成領域における前記第１の面の配線層が前記ループの曲げ方向に沿って不連続に除去され、
除去されずに残留した配線層と前記ベースフィルムの前記第１の面の配線層とを当該ベースフィルムを貫通するスルーホールを介して電気的に接続されていることを特徴とする情報処理装置。
【請求項２】
請求項１において、
前記配線層と前記ベースフィルムが除去された部分の長手方向が前記フレキシブルプリント基板の長手方向に対して直交していることを特徴とする情報処理装置。
【請求項３】
請求項１において、
前記配線層と前記ベースフィルムが除去された部分の長手方向が前記フレキシブルプリント基板の長手方向に対して斜交していることを特徴とする情報処理装置。
【請求項４】
請求項２又は３において、
前記残留した配線層と前記ベースフィルムの前記ループの曲げ方向の間隔が当該ループの湾曲の大きさに応じて変化していることを特徴とする情報処理装置。
【請求項５】
請求項２乃至４の何れかにおいて、
前記第２の面が、前記ループの外側に配置されていることを特徴とする情報処理装置。
【請求項６】
請求項２乃至４の何れかにおいて、
前記第２の面が、前記ループの内側に配置されていることを特徴とする情報処理装置。
【請求項７】
請求項１において、
前記スルーホールを介して電気的に接続された配線が接地線であることを特徴とする情報処理装置。
【請求項８】
請求項１乃至７の何れかにおいて、
前記第２の面の配線層は、第２のカバーフィルムで覆われていることを特徴とする情報処理装置。
【発明の詳細な説明】
【技術分野】
【０００１】
本発明は、表示部に液晶表示モジュール等の表示デバイスを本体部に開閉可能に搭載したラップトップパソコン等の情報処理機器に関し、特に本体部に収納した情報処理回路から出力される表示のための信号をフレキシブルプリント基板で表示デバイスに転送する情報処理装置に好適なものである。
【背景技術】
【０００２】
ラップトップパソコンに代表される可般型の情報処理装置では、表示部と本体部が蝶番で開閉可能に取り付けられている。そして、本体部に収納した情報処理回路から出力される表示信号を表示部に搭載された表示デバイスに転送するフレキシブルプリント基板は、蝶番の開閉動作に伴う伸縮を吸収するために当該蝶番部分にループを設けているものがある。
【０００３】
図１は、表示部と本体部を蝶番で開閉可能に取り付けたラップトップパソコンを例としたフレキシブルプリント基板の実装構造を説明する模式図である。本体部ＭＢＤにはＣＰＵを含む情報処理回路を実装したプリント基板（マザーボードとも称する）ＰＣＢなどが収納される。また、操作のためのキーボード等は図示を省略した。ここでは、表示デバイスが液晶表示モジュールＭＤＬであるとして説明するが、有機ＥＬ表示パネルなどの他の表示デバイスでも同様である。
【０００４】
表示部ＤＳＰには液晶表示モジュールＭＤＬが搭載されており、蝶番部ＨＮＧで本体部ＭＢＤに矢印Ａ方向に開閉可能に結合されている。本体部ＭＢＤの情報処理回路から液晶表示モジュールＭＤＬへの表示のための信号類は、フレキシブルプリント基板の一端をプリント基板ＰＣＢのコネクタＴＭＮに接続したフレキシブルプリント基板ＦＰＣで転送される。
【０００５】
図２は、図１の液晶表示モジュールＭＤＬのみを説明する模式図である。また、図３は、フレキシブルプリント基板の構成例を接続する模式図であり、図３（ａ）は断面図、図３（ｂ）は図３（ａ）を矢印Ａ方向からみた平面図である。この構成例は、特許文献１に開示された従来例で、フレキシブルプリント基板ＦＰＣは蝶番部ＨＮＧでゼンマイ状に巻いて液晶表示モジュールＭＤＬの開閉に伴う基板配線の伸縮や屈曲を吸収している。なお、図２には説明の簡素化のためループＬＯＰは１ターンで示してあるが、特許文献１では多ターンとしたものが開示されている。
【０００６】
フレキシブルプリント基板ＦＰＣは、少なくともそのループＬＯＰ形成領域すなわち湾曲される部分を図３に示したように構成されている。フレキシブルプリント基板ＦＰＣは、ベースフィルムＢＦの両側に複数の信号配線や接地線を構成する導体層ＷＬを有し、その一方の面の全面に第１のカバーフィルムＣＶ１が、他方の面に第２のカバーフィルムＣＶ２が積層され、少なくともループＬＯＰ形成領域では第２のカバーフィルムＣＶ２と接地線を構成する導体層が除去されている。図３のベースフィルムＢＦの両側において、フレキシブルプリント基板ＦＰＣの端子を構成する両端の一部で接地線となる導体層ＷＬがスルーホールＴＨで電気的に接続されている。
【特許文献１】特開平５−１９８９６号公報
【発明の開示】
【発明が解決しようとする課題】
【０００７】
図３（ｂ）に示したように、ループＬＯＰ形成領域では第２のカバーフィルムＣＶ２が除去されて導体層ＷＬは一方の面にのみ有するものとなっている。そのため、信号線の導体から発生する放射ノイズが増大する。また、ループとすることで全長が長くなり、これも放射ノイズを増大させる要因となっていた。
【０００８】
本発明の目的は、表示部の開閉に伴う曲げ性を損なうことなく、また信号配線からの放射ノイズを抑制したフレキシブルプリント基板を用いた情報処理装置を提供することにある。
【課題を解決するための手段】
【０００９】
上記目的を達成するための本発明の特徴は、ループ形成領域における第２のカバーフィルムが除去された前記一方の面の反対面である他方の面に当該カバーフィルムの面内で曲げ方向に対して互いに独立した複数の不連続な導体層のパターンを設け、これらの導体層のパターンを該カバーフィルムを貫通するスルーホールで上記一方の面にある接地線を構成する導体層に電気的に接続した点にある。
【００１０】
本発明の代表的な手段を記述すると、次のとおりである。すなわち、
本発明の情報処理装置は、表示デバイスを搭載した表示部と情報処理回路を収納した本体部が蝶番で開閉可能に取り付けられ、前記情報処理回路から出力される表示信号を前記表示デバイスに転送するフレキシブルプリント基板を前記蝶番部分に前記表示部の開閉動作に伴う伸縮応力を吸収するループを設けた構成となっている。
【００１１】
そして、前記フレキシブルプリント基板は、ベースフィルムと、該ベースフィルムの第１の面と第２の面のそれぞれに配線層を有すると共に、前記第１の面の配線層を覆う第１のカバーフィルムおよび前記第２の面の配線層を覆う第２のカバーフィルムを有し、
前記ループの形成領域における前記第２のカバーフィルムおよびその下層の前記第１の面の配線層が前記ループの曲げ方向に沿って不連続に除去され、
除去されずに残留した配線層と前記ベースフィルムの前記第１の面の配線層とを当該ベースフィルムを貫通するスルーホールを介して電気的に接続されていることを特徴とする。
【００１２】
また、本発明は、前記配線層と前記ベースフィルムが除去された部分の長手方向が前記フレキシブルプリント基板の長手方向に対して直交、あるいは斜交のいずれかとすることでループのターン毎のずれ形状に適用させて伸縮応力を吸収させる。
【００１３】
また、本発明は、前記残留した配線層と前記ベースフィルムの前記ループの曲げ方向の間隔が当該ループの湾曲の大きさに応じて変化させることで曲げによる応力を分散させる。
【００１４】
また、本発明は、前記第２の面を前記ループの外側に配置しても、あるいは内側に配置してもよい。
【発明の効果】
【００１５】
本発明では、表示部の開閉に伴う曲げ性を損なうことなく、また信号配線からの放射ノイズを抑制したフレキシブルプリント基板を用いた情報処理装置を提供することができる。
【発明を実施するための最良の形態】
【００１６】
以下、本発明の最良の実施形態を実施例により詳細に説明する。
【実施例１】
【００１７】
図４は、本発明による情報処理装置の実施例１を説明するフレキシブルプリント基板の構成を示す模式図である。図４（ａ）は断面図、図４（ｂ）は図４（ａ）を矢印Ａ方向からみた平面図である。このフレキシブルプリント基板ＦＰＣは、ベースフィルムＢＦと、該ベースフィルムＢＦの第１の面と第２の面に配線層ＷＬ１、ＷＬ２をそれぞれ有する。
【００１８】
ベースフィルムＢＦの第１の面の配線層ＷＬ１を覆って第１のカバーフィルムＣＶ１が形成されている。ベースフィルムＢＦの第２の面の配線層ＷＬ２を覆って第２のカバーフィルムＣＶ２が形成されている。そして、前記ループの形成領域（Ａ―Ｂ）における前記第２のカバーフィルムＣＶ２およびその下層の第２の面の配線層ＷＬ２がループの曲げ方向（フレキシブルプリント基板ＦＰＣの長手方向）に沿って不連続に除去されている。第２のカバーフィルムＣＶ２およびその下層の第１の面の配線層ＷＬ２が除去された部分はベースフィルムＢＦが露出している。
【００１９】
除去されずに残留したカバーフィルムＣＶ２の下層にある配線層ＷＬ２と前記ベースフィルムＢＦの前記第１の面にある配線層ＷＬ１とは当該ベースフィルムＢＦを貫通するスルーホールＴＨを介して電気的に接続されている。
【００２０】
実施例１では、第２のカバーフィルムＣＶ２と第１の面の配線層ＷＬ２が除去された部分の長手方向がフレキシブルプリント基板ＦＰＣの長手方向に対して直交するごとく配置されている。第２のカバーフィルムＣＶ２と第１の面の配線層ＷＬ２が除去された部分の間隔、あるいは残留した第２のカバーフィルムＣＶ２と第１の面の配線層ＷＬ２の幅を均等としてもよいが、次のように変化させてもよい。
【００２１】
すなわち、ループ領域をＡ―Ｂとし、その中央部分をＣとしたとき、第２のカバーフィルムＣＶ２と第１の面の配線層ＷＬ２の曲げ方向の間隔を、Ａ―Ｃ領域ではＣからＡに向けて漸次大とし、Ｂ―Ｃ領域ではＣからＢに向けて漸次大としてある。これは、Ａ領域の近傍とＢ領域の近傍でのループの湾曲が大きい（曲げ量が大）の場合に対応させたものである。なお、この間隔に代えて残留した第２のカバーフィルムＣＶ２と第１の面の配線層ＷＬ２の幅を同様に変化させてもよい。また、上記間隔と上記幅の両者を組み合わせた構成とすることもできる。
【００２２】
このように、実施例１では、残留した配線層とベースフィルムのループの曲げ方向の間隔あるいは残留した配線層とベースフィルムの幅を当該ループの湾曲の大きさに応じて変化させることで曲げによる応力を効率よく分散させることができる。
【００２３】
また、ベースフィルムの第２の面をループの外側に配置しても、あるいは内側に配置してもよい。
【００２４】
実施例１において、スルーホールＴＨを介して電気的に接続された導体層を接地線とすることで、ノイズ放射を抑制することができる。尚、本実施例では、カバーフィルムＣＶ２を残した構成で説明したが、このカバーフィルムＣＶ２は本実施例においては必須ではなく、取り除いた構成としてもよい。
【実施例２】
【００２５】
図５は、本発明による情報処理装置の実施例２を説明するフレキシブルプリント基板の構成を示す模式図である。図５は図４（ｂ）と同様の平面図を示す。実施例２は、第２のカバーフィルムＣＶ２と第１の面の配線層ＷＬ２が除去された部分の長手方向がフレキシブルプリント基板ＦＰＣの長手方向に対して斜交するごとく配置されている。第２のカバーフィルムＣＶ２と第１の面の配線層ＷＬ２が除去された部分の間隔、あるいは残留した第２のカバーフィルムＣＶ２と第１の面の配線層ＷＬ２の幅を均等としてもよいが、次のように変化させてもよい。
【００２６】
すなわち、ループ領域をＡ―Ｂとしたとき、第２のカバーフィルムＣＶ２と第１の面の配線層ＷＬ２の曲げ方向の間隔を、ＢからＡに向けて漸次大としてある。これは、Ａ領域の近傍でのループの湾曲が大きい（曲げ量が大）の場合に対応させたものである。なお、この間隔に代えて残留した第２のカバーフィルムＣＶ２と第１の面の配線層ＷＬ２の幅を同様に変化させてもよい。また、上記間隔と上記幅の両者を組み合わせた構成とすることもできる。
【００２７】
このように、実施例２では、ループの端部が該ループの中心軸の方向にずらせた場合に有効である。そして、残留した配線層とベースフィルムのループの曲げ方向の間隔あるいは残留した配線層とベースフィルムの幅を当該ループの湾曲の大きさに応じて変化させることで曲げによる応力を効率よく分散させることができる。
【００２８】
また、実施例２でも、ベースフィルムの第２の面をループの外側に配置しても、あるいは内側に配置してもよい。
【００２９】
実施例２においても、スルーホールＴＨを介して電気的に接続された導体層を接地線とすることで、ノイズ放射を抑制することができる。
【００３０】
図６は、本発明の実施例１または実施例２で説明したフレキシブルプリント基板を用いた液晶表示モジュールＭＤＬのみを説明する模式図である。図２と同じ参照符号は同図と同一機能部分に対応する。フレキシブルプリント基板ＦＰＣの第２のカバーフィルムＣＶ２と接地に接続した第２の導体層ＷＬ２の残留部分がループＬＯＰ部分にあるため、ノイズ放射が抑制される。
【図面の簡単な説明】
【００３１】
【図１】表示部と本体部を蝶番で開閉可能に取り付けたラップトップパソコンを例としたフレキシブルプリント基板の実装構造を説明する模式図である。
【図２】図１の液晶表示モジュールＭＤＬのみを説明する模式図である。
【図３】フレキシブルプリント基板の構成例を接続する模式図である。
【図４】本発明による情報処理装置の実施例１を説明するフレキシブルプリント基板の構成を示す模式図である。
【図５】本発明による情報処理装置の実施例２を説明するフレキシブルプリント基板の構成を示す模式図である。
【図６】本発明の実施例１または実施例２で説明したフレキシブルプリント基板を用いた液晶表示モジュールＭＤＬのみを説明する模式図である。
【符号の説明】
【００３２】
ＤＳＰ・・・表示部、ＭＢＤ・・・本体部、ＰＣＢ・・・情報処理回路を実装したプリント基板、ＭＤＬ・・・表示デバイス（液晶表示モジュール）、ＨＮＧ・・・蝶番部、ＦＰＣ・・・フレキシブルプリント基板、ＢＦ・・・ベースフィルム、ＷＬ（ＷＬ１、ＷＬ２）導体層、ＣＶ１・・・第１のカバーフィルム、ＣＶ２・・・第２のカバーフィルム、ＬＯＰ・・・ループ、ＴＨ・・・スルーホール。
【図１】
2008065728.tif 000003
【図２】
2008065728.tif 000004
【図３】
2008065728.tif 000005
【図４】
2008065728.tif 000006
【図５】
2008065728.tif 000007
【図６】
2008065728.tif 000008